(57)【要約】【課題】配信日時や配信地域をフレキシブルに選択でき、タイムリーな広告配信に適した広告配信システムを提供する。【解決手段】広告配信サーバ２と、広告配信サーバ２と通信ネットワーク３を介して接続された複数の広告主端末４と、広告配信サーバ２と通信ネットワーク３および５を介して接続された顧客端末６とを備え、広告配信サーバ２が複数の配信スケジュール枠からなる配信スケジュール表に基づいて、広告情報を顧客端末６に対して電子メールにより配信するように構成すると共に、上記配信スケジュール表を広告主端末６に表示し、広告主が任意の配信スケジュール枠を選択し得るようにした。【選択図】図１
2007122113.tif 000002
【特許請求の範囲】
【請求項１】
広告配信サーバと、当該広告配信サーバと通信ネットワークを介して接続された複数の広告主端末および顧客端末とを備え、前記広告配信サーバが配信スケジュール表に基づいて、広告情報を前記顧客端末に対して電子メールにより配信する広告配信システムであって、
前記配信スケジュール表は、それぞれが少なくとも配信すべき顧客、配信日時、配信地域および配信広告ジャンルに関する配信情報を有する複数の配信スケジュール枠から構成されており、
前記広告配信サーバは、
前記顧客端末それぞれの電子メールアドレスを含む顧客情報が格納された顧客情報格納部と、
前記広告主端末に関係する広告主それぞれの識別情報を含む広告主情報が格納された広告主情報格納部と、
前記配信スケジュール枠毎の前記配信情報が格納された配信情報格納部と、
前記広告主端末からアクセスを受けたとき、当該広告主端末に関係する広告主の識別情報を取得し、前記配信スケジュール枠毎の前記配信情報に基づき、当該広告主端末のディスプレイ上に前記配信スケジュール表を表示させる配信スケジュール表表示部と、
前記広告主端末のディスプレイ上に表示された配信スケジュール表を通じて、前記配信スケジュール枠のいずれかが選択されたとき、それに関連する広告情報の入力を受けるための広告情報入力画面を前記ディスプレイ上に表示させる広告情報入力画面表示部と、
前記広告情報入力画面を通じて関連する広告情報が入力されたとき、前記広告主端末から前記広告情報を受信し、前記広告主の識別情報ならびに関係する配信スケジュール枠の選択情報と共に格納する広告情報格納部と、
前記広告情報格納部に格納された広告情報を、関係する広告主の識別情報に基づいて前記広告主情報格納部から抽出した広告主情報と結合させることによって、前記電子メールを編集し、前記関係する広告主の識別情報に基づいて前記広告情報格納部から関係する配信スケジュール枠の選択情報を抽出し、その配信スケジュール枠の選択情報に該当する配信スケジュール枠が有する配信情報に基づいて、前記電子メールを前記顧客端末に配信する電子メール編集・配信部と、
を備えたことを特徴とする広告配信システム。
【発明の詳細な説明】
【技術分野】
【０００１】
本発明は、広告配信サーバと、広告配信サーバと通信ネットワークを介して接続された複数の広告主端末および顧客端末とを備え、配信スケジュール表に基づいて、広告情報を顧客端末に対して電子メールにより配信する広告配信システムに関する。
【背景技術】
【０００２】
近年、コンピュータや通信技術の発達により、インターネットなどの通信ネットワークを利用した広告活動が盛んに行われている。
【０００３】
例えば、予め登録された顧客に対してその配信希望ジャンルに対応する記事を電子メールにて配信する所謂電子メールマガジンを利用し、各種広告情報を提供する広告配信システムが従来存在する。
この広告配信システムは、登録された顧客の年齢、性別、嗜好などに対応した広告を電子メール中に組み込んで配信するようになっており、特定の消費者に対し選択的に広告をうつことができるため、従来の広告チラシなどを不特定多数の消費者に配布する紙媒体による広告方法と比較して効果的であり、広告主に対し一定のメリットをもたらしていた（例えば、特許文献１参照）。
【０００４】
【特許文献１】特開２００１−２４３３７９号公報
【発明の開示】
【発明が解決しようとする課題】
【０００５】
しかしながら、従来の電子メールマガジンを利用した広告配信システムでは、広告主は発行者側によって決められた配信日時に配信される各種メールマガジンの中から、自身の広告にあったジャンルのメールマガジンを選択することができるのみであり、その配信日時や配信地域をフレキシブルに選択できるものではなかった。
【０００６】
また、電子メールマガジンへの広告掲載は、一定の期間にわたって継続して行うことが前提となっており、タイムリーに広告をうちたい場合に利用できるものではなかった。
【０００７】
従って、本発明の課題は、配信日時や配信地域をフレキシブルに選択でき、タイムリーな広告配信に適した広告配信システムを提供することにある。
【課題を解決するための手段】
【０００８】
上記課題を解決するために本発明は、広告配信サーバと、当該広告配信サーバと通信ネットワークを介して接続された複数の広告主端末および顧客端末とを備え、前記広告配信サーバが配信スケジュール表に基づいて、広告情報を前記顧客端末に対して電子メールにより配信する広告配信システムであって、前記配信スケジュール表は、それぞれが少なくとも配信すべき顧客、配信日時、配信地域および配信広告ジャンルに関する配信情報を有する複数の配信スケジュール枠から構成されており、前記広告配信サーバは、前記顧客端末それぞれの電子メールアドレスを含む顧客情報が格納された顧客情報格納部と、前記広告主端末に関係する広告主それぞれの識別情報を含む広告主情報が格納された広告主情報格納部と、前記配信スケジュール枠毎の前記配信情報が格納された配信情報格納部と、前記広告主端末からアクセスを受けたとき、当該広告主端末に関係する広告主の識別情報を取得し、前記配信スケジュール枠毎の前記配信情報に基づき、当該広告主端末のディスプレイ上に前記配信スケジュール表を表示させる配信スケジュール表表示部と、前記広告主端末のディスプレイ上に表示された配信スケジュール表を通じて、前記配信スケジュール枠のいずれかが選択されたとき、それに関連する広告情報の入力を受けるための広告情報入力画面を前記ディスプレイ上に表示させる広告情報入力画面表示部と、前記広告情報入力画面を通じて関連する広告情報が入力されたとき、前記広告主端末から前記広告情報を受信し、前記広告主の識別情報ならびに関係する配信スケジュール枠の選択情報と共に格納する広告情報格納部と、前記広告情報格納部に格納された広告情報を、関係する広告主の識別情報に基づいて前記広告主情報格納部から抽出した広告主情報と結合させることによって、前記電子メールを編集し、前記関係する広告主の識別情報に基づいて前記広告情報格納部から関係する配信スケジュール枠の選択情報を抽出し、その配信スケジュール枠の選択情報に該当する配信スケジュール枠が有する配信情報に基づいて、前記電子メールを前記顧客端末に配信する電子メール編集・配信部と、を備えたことを特徴とする広告配信システムを提供するものである。
【発明の効果】
【０００９】
本発明によれば、電子メールの配信スケジュール表を広告主端末のディスプレイに表示し、広告主が任意の配信スケジュール枠を選択し得るようにしたので、広告主は自身の広告を載せる電子メールの配信日時や配信地域をフレキシブルに選択できると共に、タイムリーに広告をうつことができる。
【発明を実施するための最良の形態】
【００１０】
以下、図面を参照して本発明の好ましい一実施形態につき説明する。
図１は、本発明にかかる広告配信システムの概略構成を示すブロック図である。
本発明にかかる広告配信システム１は、図１に示す如く、広告配信サーバ２と、広告配信サーバ２と通信ネットワーク３を介して接続された複数の広告主端末４と、広告配信サーバ２と通信ネットワーク３および５を介して接続された顧客端末６とから構成されている。なお、本実施形態では、通信ネットワーク３および５は、インターネットおよび携帯電話網が相互接続されて構成されている。
【００１１】
広告配信サーバ２は、図１に示す如く、顧客端末６それぞれの電子メールアドレスを含む顧客情報が格納された顧客情報格納部２１と、広告主端末４に関係する広告主それぞれの識別情報を含む広告主情報が格納された広告主情報格納部２２とを備えている。
顧客情報格納部２１に格納される顧客情報には、顧客の電子メールアドレスの他、氏名、年齢、生年月日、性別、血液型、住所、電話（ＦＡＸ）番号、趣味等が含まれる。
また、広告主情報格納部２２に格納される広告主情報には、広告主のＩＤ、パスワードなどの識別情報の他、広告主の名称（氏名）、住所、電話（ＦＡＸ）番号、店舗へのアクセス方法に関する情報等が含まれる。
【００１２】
また、広告配信サーバ２は、図２に示すカレンダー形式の配信スケジュール表７に基づいて、広告情報を顧客端末６に対して電子メールにより配信するようになっており、配信スケジュール表７は、それぞれが少なくとも配信すべき顧客、配信日時、配信地域および配信広告ジャンルに関する配信情報を有する複数の配信スケジュール枠７ａから構成されている。
広告配信サーバ２は、この配信スケジュール枠毎の配信情報が格納された配信情報格納部２３と、広告主端末４からアクセスを受けたとき、広告主端末４に関係する広告主の識別情報を取得すると共に、広告主端末４のＷＷＷブラウザに対して配信情報格納部２３に格納された配信情報のデータを送信し、その広告主端末４のディスプレイ上に配信スケジュール表７を表示させる配信スケジュール表表示部２４とを備えている。
【００１３】
また、広告配信サーバ２は、広告主端末４のディスプレイ上に表示された配信スケジュール表７を通じて、配信スケジュール枠７ａのいずれかが選択されたとき、それに関連する広告情報の入力を受けるための広告情報入力画面８（図５参照）をディスプレイ上に表示させる広告情報入力画面表示部２５と、広告情報入力画面８を通じて関連する広告情報１０が入力されたとき、広告主端末４からその広告情報１０を受信し、広告主のＩＤなどの識別情報ならびに関係する配信スケジュール枠７ａの選択情報と共に格納する広告情報格納部２６とを備えている。
【００１４】
また、広告配信サーバ２は、広告情報格納部２６に格納された広告情報を、関係する広告主の識別情報に基づいて広告主情報格納部２２から抽出した広告主情報と結合させることによって電子メールを編集すると共に、関係する広告主の識別情報に基づいて広告情報格納部２６から関係する配信スケジュール枠７ａの選択情報を抽出し、かつ、その配信スケジュール枠７ａの選択情報に基づいて顧客情報格納部２１から関係する顧客情報を抽出して、編集した電子メールを該当する顧客端末６に配信する電子メール編集・配信部２７を備えている。
【００１５】
この実施形態においては、広告主端末４は、パーソナルコンピュータやＰＤＡ（携帯情報端末）からなっており、広告配信サーバ２から送信されるデータを読み込んでディスプレイに表示するためのＷＷＷブラウザを少なくとも備えている。なお、広告主端末４は、携帯電話器からなっていてもよい。
【００１６】
顧客端末６は、携帯電話器からなっており、電子メールを受信するための電子メールソフトウェアを少なくとも備えている。なお、顧客端末６は、パーソナルコンピュータやＰＤＡ（携帯情報端末）からなっていてもよい。
【００１７】
次に、この広告配信システム１の動作について説明する。
まず、広告配信サーバ２は、通信ネットワーク３を介して広告主端末４からアクセスを受けると、広告主からＩＤおよびパスワードの入力を受けるための画面（不図示）を、その広告主端末４のディスプレイに表示し、入力されたＩＤを広告主ＩＤ記憶部２８に記憶する。
そして、広告配信サーバ２の配信スケジュール表表示部２４は、配信スケジュール枠７ａ毎の配信情報に基づき、当該広告主端末のディスプレイ上に配信スケジュール表７を含む画面１２（図３）を広告主端末４のディスプレイに表示させる。
【００１８】
次に、広告主は、広告主端末４のディスプレイに表示された配信スケジュール表７における配信スケジュール枠７ａの中から、自身の広告を載せたい配信スケジュール枠を仮選択する。配信スケジュール枠が仮選択されると、広告配信サーバ２は、その選択された配信スケジュール枠が有する配信情報９の一部を示す画面１３（図４）をそのディスプレイに表示させ、広告主の本選択を求める。
【００１９】
広告主が図４に示す画面を通じて配信スケジュール枠を本選択すると、広告配信サーバ２の広告情報入力画面表示部２５は、広告情報の入力を受けるための広告情報入力画面８（図５）を広告主端末４のディスプレイに表示させる。
【００２０】
広告主が上記広告情報入力画面を通じて広告情報１０を入力すると、広告配信サーバ２は、その広告情報１０を受信し、広告主ＩＤ記憶部２８に記憶された広告主のＩＤ、およびいずれの配信スケジュール枠を選択したかを示す選択情報と共に、広告情報格納部２６に格納する。
【００２１】
そして、広告配信サーバ２の電子メール編集・配信部２７は、広告情報格納部２６に格納された広告主のＩＤに対応する広告主情報１１（ここでは、店舗名と店舗へのアクセス方法に関する情報）を広告主情報格納部２２から抽出し、広告情報格納部２６に格納された広告情報１０と結合して、電子メールメッセージ１４を編集する（図６参照）。
【００２２】
最後に、広告配信サーバ２の電子メール編集・配信部２７は、広告情報格納部２６に格納された上記配信スケジュール枠の選択情報を抽出し、それに基づいて顧客情報格納部２１から関係する顧客情報を抽出し、電子メールメッセージ１４を含む電子メールを対応する顧客端末６に配信する。
【００２３】
以上のように、本発明によれば、電子メールの配信スケジュール表を広告主端末に表示し、広告主が任意の配信スケジュール枠を選択し得るようにしたので、広告主は自身の広告を載せる電子メールの配信日時や配信地域をフレキシブルに選択できると共に、タイムリーに広告をうつこともできる。
【００２４】
以上、具体例を例示しつつ、本発明の実施の形態について説明したが、本発明はこれらの具体例に限定されるものではない。
【００２５】
上記実施形態では、電子メールのメッセージ中に広告情報を組み込んで配信するようにしたが、広告情報が表示される広告用ホームページへのリンク情報を組み込んで配信するようにしてもよい。この場合、広告配信サーバに、各広告主の広告用ホームページを顧客端末に表示するためのホームページ表示データ格納部およびホームページ表示部と、その格納されたホームページ表示データを広告主端末から編集するためのホームページ表示データ編集部とを設け、広告主が広告主端末を介してホームページ表示データをタイムリーに編集し得るようにしてもよい。
【００２６】
また、配信スケジュール枠が有する配信情報に、各配信スケジュール枠を選択可能な広告主の数を含めてもよい。この場合、広告配信サーバに選択可能広告主数カウント部を更に設け、配信スケジュール枠の選択広告主数が予め設定された数に達した場合、それ以降選択を拒絶するようにしてもよい。
【００２７】
また、上記実施形態では、予め配信スケジュール枠毎に広告料が設定されているが、これを設定せず、広告主からの希望広告料の入力を受け付け、その金額によって配信スケジュール枠の選択許否を決定するようにしてもよい。この場合、広告配信サーバに、広告主端末に希望広告料入力画面を表示させる希望広告料入力画面表示部と、この入力画面を通じて入力された希望広告料を格納する希望広告料格納部と、格納された希望広告料の大小を比較して配信スケジュール枠の選択許否を判定する配信スケジュール枠選択許否部とを設ければよい。
【図面の簡単な説明】
【００２８】
【図１】本発明にかかる広告配信システムの一例を示すブロック図である。
【図２】配信スケジュール表の一例を示す図である。
【図３】広告主端末のディスプレイに表示される１つの画面（配信スケジュール表を含む画面）を示す図である。
【図４】広告主端末のディスプレイに表示される１つの画面（配信情報を含む画面）を示す図である。
【図５】広告主端末のディスプレイに表示される１つの画面（広告情報入力画面）を示す図である。
【図６】電子メール編集・配信部によって編集された電子メールを示す図である。
【符号の説明】
【００２９】
１  広告配信システム
２  広告配信サーバ
３  通信ネットワーク（インターネット）
４  広告主端末
５  通信ネットワーク（携帯電話網）
６  顧客端末（携帯電話）
２１  顧客情報格納部
２２  広告主情報格納部
２３  配信情報格納部
２４  配信スケジュール表表示部
２５  広告情報入力画面表示部
２６  広告情報格納部
２７  電子メール編集・配信部
２８  広告主ＩＤ記憶部
【図１】
2007122113.tif 000003
【図２】
2007122113.tif 000004
【図３】
2007122113.tif 000005
【図４】
2007122113.tif 000006
【図５】
2007122113.tif 000007
【図６】
2007122113.tif 000008